(57)【要約】  携帯型デジタルテレビジョン（ＤＴＶ）は、プロセッサー及びナビゲーションボタン装置を有する。携帯型ＤＴＶのプロセッサーは、少なくとも２モード動作を有するようナビゲーションボタン装置を制御する。一方の動作モードでは、ナビゲーションボタン装置は、ナビゲーションインターフェースをユーザーに提供する。また他方の動作モードでは、ナビゲーションボタン装置は、双方向アプリケーションインターフェースをユーザーに提供する。
2008529347.tif 000002
【特許請求の範囲】
【請求項１】
デジタルテレビジョンであって：
ナビゲーションインターフェースをユーザーへ提供するよう構成され及び少なくとも２モード動作を有するナビゲーションボタン装置、を有し；
一方の動作モードでは、前記ナビゲーションボタン装置は前記デジタルテレビジョンに提示されたグラフィカルユーザーインターフェースを行き来するナビゲーションモードを提供し、及び他方の動作モードでは、前記ナビゲーションボタン装置は前記デジタルテレビジョンでユーザーに提示されたデジタルテレビジョンアプリケーションと相互作用する双方向アプリケーションモードを提供する、デジタルテレビジョン。 
【請求項２】
前記デジタルテレビジョンは、携帯型デジタルテレビジョンである、請求項１記載のデジタルテレビジョン。 
【請求項３】
前記ナビゲーションボタン装置を収容するリモコン装置、を更に有する請求項１記載のデジタルテレビジョン。 
【請求項４】
前記ナビゲーションボタン装置に光の色を表示する光学要素を更に有し、及び前記ナビゲーションモードでは、少なくとも１つの光学要素は第１の色の光を放出し、及び前記双方向アプリケーションモードでは、少なくとも１つの光学要素は、前記デジタルテレビジョンに表示された特定の双方向アプリケーション機能に関連付けられた色に対応する異なる色の光を放出する、請求項１記載のデジタルテレビジョン。 
【請求項５】
前記第１の色は白であり、及び前記異なる色は赤、黄、青及び緑を有する、請求項１記載のデジタルテレビジョン。 
【請求項６】
携帯型デジタルテレビジョンであって：
プロセッサー；及び
ユーザーにナビゲーションインターフェースを提供するよう配置された少なくとも４個のボタン、を有し；
前記プロセッサーは、第１の動作モードでは４個のボタン装置が前記ナビゲーションインターフェースを前記ユーザーに提供し、及び第２の動作モードでは前記４個のボタン装置が前記デジタルテレビジョンに前記ユーザーに提示されたデジタルテレビジョンアプリケーションと相互作用する双方向アプリケーションインターフェースを前記ユーザーに提供するよう、前記４個のボタン装置を制御する、携帯型デジタルテレビジョン。 
【請求項７】
前記ユーザーに前記プロセッサーを前記第１の動作モードと前記第２の動作モードとの間で切り替えさせることを可能にするモードボタン、を更に有する請求項６記載の携帯型デジタルテレビジョン。 
【請求項８】
前記４個のボタンのそれぞれに関連付けられた光学要素を更に有し；前記第１の動作モードでは、前記プロセッサーは少なくとも１つの前記光学要素にユーザーに前記第１の動作モードを示す第１の色の光を提供させ、及び前記第２の動作モードでは、前記プロセッサーは少なくとも１つの前記光学要素にユーザーに前記第２の動作モードを示す異なる色の光を提供させ、前記異なる色は、双方向アプリケーション機能を表す、請求項６記載の携帯型デジタルテレビジョン。 
【請求項９】
前記光学要素は、２色発光ダイオードである、請求項８記載の携帯型デジタルテレビジョン。 
【請求項１０】
特定のボタンに関連付けられた如何なる光学要素も隣接している、請求項８記載の携帯型デジタルテレビジョン。 
【請求項１１】
前記異なる色は、赤、緑、青及び黄である、請求項８記載の携帯型デジタルテレビジョン。 
【請求項１２】
前記第１の色は白である、請求項８記載の携帯型デジタルテレビジョン。 
【請求項１３】
携帯型テレビジョン（ＴＶ）であって：
ナビゲーションボタン装置は少なくとも：
上ボタン；
下ボタン；
左ボタン；
右ボタン；及び
選択ボタン、を有し、前記携帯型ＴＶに提示されたグラフィカルユーザーインターフェースを行き来する際の使用のための前記ナビゲーションボタン装置；及び
複数の光学要素、を有し、少なくとも１つの光学要素が各ボタンに関連付けられ；並びに
前記ボタン装置は少なくとも２つのモードで動作し、前記少なくとも２つのモードはナビゲーションモードと有色モードとを有し、前記ナビゲーションモードでは、前記複数の光学要素の少なくとも１つは第１の色の光を提供し、及び前記有色モードでは、前記複数の光学要素は少なくとも４色の光を提供し、前記ボタンの４個はそれぞれ前記４色の異なる１つに関連付けられる、携帯型デジタルテレビジョン。 
【請求項１４】
前記４色は、赤、緑、青及び黄である、請求項１３記載の携帯型デジタルテレビジョン。 
【請求項１５】
前記第１の色は白である、請求項１３記載の携帯型デジタルテレビジョン。 
【請求項１６】
方法であって、デジタルテレビジョンで用いられ、前記方法は：
（ａ）ナビゲーションボタン装置に第１のモードを設定する段階；
（ｂ）前記第１のモードでは前記ナビゲーションボタン装置は前記デジタルテレビジョンに提示されたグラフィカルユーザーインターフェースを行き来するために用いられ、第１の色を前記ナビゲーションボタン装置に表示させる段階；
（ｃ）前記ナビゲーションボタン装置を第２のモードに設定する段階；
（ｄ）前記第２のモードでは前記ナビゲーションボタン装置は前記デジタルテレビジョンに提示された双方向アプリケーションと相互作用するために用いられ、及び４個の異なる色は異なる双方向機能に関連付けられ、少なくとも前記４個の異なる色を前記ナビゲーションボタン装置に表示させる段階；を有する方法。 
【請求項１７】
前記デジタルテレビジョンは、少なくとも２つの状態を有するボタンを有し、１つの状態は前記第１のモードと関連付けられ及び２つ目の状態は前記第２のモードと関連付けられ、前記デジタルテレビジョンは、前記第１のモードと関連付けられた状態が検出された場合に段階（ａ）及び（ｂ）が実行され、前記第２のモードと関連付けられた状態が検出された場合に段階（ｃ）及び（ｄ）が実行されるよう、前記ボタンの状態を決定する段階を更に有する、請求項１６記載の方法。 
【請求項１８】
（ｅ）ユーザーによりボタンが選択されると段階（ａ）へ戻る段階、を更に有する請求項１６記載の方法。 
【請求項１９】
前記異なる４色は、赤、緑、青及び黄である、請求項１６記載の方法。 
【請求項２０】
前記第１の色は白である、請求項１６記載の方法。
【発明の詳細な説明】
【技術分野】
【０００１】
本発明は、一般にユーザーインターフェース、及びより詳細にはハンドヘルドビデオ装置のユーザーインターフェースに関する。
【背景技術】
【０００２】
欧州で設立されたデジタルテレビ放送（ＤＶＢ−Ｔ）規格（例えばＥＴＳＩ  ＥＮ  ３００  ７４４）に準拠するテレビジョンシステムでは、双方向アプリケーションが存在し得る。その際、デジタルテレビジョン（ＤＴＶ）のリモコンは、標準的にナビゲーションキーのセット及びファンクションキーのセットを有する。ナビゲーションキー又はボタンのセットは、ＤＴＶに表示される電子番組案内（ＥＰＧ）及び／又はメニューツリーを行き来するために用いられ、及び標準的に「上」、「下」、「右」、「左」及び「選択」のような共通動作を表す５個のボタンを有する。これに対し、ファンクションキーは、双方向アプリケーションに用いられ、及び標準的に少なくとも４個のボタンを有し、各ボタンは特定の色に関連付けられる。例えば、１つのボタンは赤に色付けられ、次は緑、第３及び第４のボタンは黄色に色付けられる。（留意すべき点は、第５のボタンは将来の使用のために予約され、及び紫色で示されることである。）このように、双方向アプリケーションは、ＤＴＶに表示された画像に「ソフトラベル」を設けて良い。各ラベルは異なる機能を文字で記述し及び４色のうちの１つを有する。例えば、双方向アプリケーションは、文字「戻る」を有し赤い背景を有するソフトラベルを表示されて良い。ユーザーは従って、リモコン上の赤色のファンクションキーを押下することが双方向アプリケーションの「戻る機能」を実行することに相当することを知る。
【発明の開示】
【発明が解決しようとする課題】
【０００３】
ナビゲーションキーのセット及びファンクションキーのセットのＤＴＶ環境における使用は、双方向アプリケーションを支援する携帯型ＤＴＶの構成において問題であることが分かっている。特に、携帯型ＤＴＶは、少なくとも１０個のボタン（ナビゲーションインターフェース用に５個、及び双方向アプリケーションインターフェース用に５個）のための十分な物理的空間を携帯型ＤＴＶのどこかに設けるか、又は携帯型ＤＴＶに合う（上述の必要数のボタンを有する）リモコンの実装を要求しなければならない。 
【課題を解決するための手段】
【０００４】
従って、及び本発明の原理に従って、ナビゲーションボタン装置は、少なくとも２モード動作を有する。ある動作モードでは、ナビゲーションボタン装置は、ＤＴＶに提示された案内及び／又はメニューを行き来するナビゲーションモードを提供する。また他の動作モードでは、ナビゲーションボタン装置は、ユーザーに提示されたＤＴＶアプリケーションと相互作用する双方向アプリケーションモードを提供する。従って携帯型ＤＴＶは、ナビゲーションインターフェースと双方向アプリケーションインターフェースの両方を提供するために、上述の１０個のボタンの代わりに５個のボタンを利用する。
【０００５】
本発明の実施例では、携帯型ＤＴＶは、プロセッサー、ディスプレイ及びユーザーインターフェースを有する。後者は、２モード動作と、５色発光ダイオード（ＬＥＤ）（１つのＬＥＤはナビゲーションボタン装置の５個のボタンのそれぞれと関連付けられる）とを有する５個のボタンのナビゲーションボタン装置、及びモードボタンを有する。モードボタンは、ユーザーがプロセッサーにナビゲーションボタン装置のナビゲーション動作モード又は双方向アプリケーション動作モードの何れかを選択させることを可能にする。ナビゲーション動作モードでは、５個のボタンのそれぞれは、ＤＴＶに提示された案内及び／又はメニューを行き来するナビゲーションインターフェースをユーザーに提供し、及び関連するＬＥＤのそれぞれは白色光を提供し、ナビゲーションモードが選択されたことを示す。双方向動作モードでは、５個のボタンの少なくとも１つは、双方向アプリケーションインターフェースをユーザーに提供し、及び関連するＬＥＤは異なる色の光を提供し、双方向アプリケーションモードが選択されたことを示す。特に、アプリケーションの双方向モードの色は、赤、緑、青、黄及び紫である。特に、双方向モードにおける色は、双方向アプリケーションインにより携帯型ＤＴＶのディスプレイに表示される特定の双方向機能を表す色に対応する。
【発明を実施するための最良の形態】
【０００６】
本発明の概念の他に、図中に示される要素は良く知られており、及び詳細に記載されない。また、デジタルテレビジョンに基づくシステムは熟知されていることが想定され、及び本願明細書に詳細に記載されない。例えば、本発明の概念以外に、デジタルＴＶを伝搬する変調信号、信号点配置、搬送波回復、補間、位相ロックループ（ＰＬＬ）、無線周波数（ＲＦ）フロントエンド、又は低雑音ブロックダウンコンバーターのような受信機部分、送信ビットストリームを生成する（ＭＰＥＧ−２システム規格（ＩＳＯ／ＩＥＣ１３８１８―１）のような）フォーマット及び符号化方法、対数尤度比のような復号化方法、軟入力軟出力（ＳＩＳＯ）検出器、ビタビ検出器、ストアドプログラムにより制御されるプロセッサー、及びユーザーインターフェースを提供するボタンは、良く知られており本願明細書に記載されない。更に、本発明の概念は、本願明細書に記載されない従来のプログラム技術を用い実施されて良い。最後に、図中の類似の番号は同様の要素を表す。また少なくともいくつかの図は、処理の表現を簡略化し及び実際の縮尺に描かれない。
【０００７】
図１は、本発明の原理に従う説明のための携帯型ＤＴＶ１００を示す。携帯型ＤＴＶ１００は、アンテナ１０１、ＤＴＶ受信機１０５、ＤＴＶプロセッサー１１０、ディスプレイ１１５及びユーザーインターフェース（ＵＩ）１２０を有する。説明的に、携帯型ＤＴＶ１００は、前述の欧州ＤＶＢ−Ｔ規格に準拠する。この点で、ＤＴＶ受信機１０５は、ＤＴＶ信号を、アンテナ１０１を介し受信する。ＤＴＶ受信機１０５は、受信信号を処理し、ダウンコンバートされた信号１０６をＤＴＶプロセッサー１１０へ供給する。後者は、ダウンコンバートされた信号を更に処理し、それから、デジタルビデオ信号１１１のようなデジタルサービスをディスプレイアプリケーション１１５でのユーザーによる視聴のために回復する。携帯型ＤＴＶ１００はＵＩ１２０により、信号経路１２１を介し制御される。信号経路１２１はユーザーに例えば装置をオン及びオフに切り替える、チャンネルを選択する、音量を調整する、電子番組案内（ＥＰＧ）により提示されたグラフィカルユーザーインターフェース（ＧＵＩ）及び／又はディスプレイ１１５に提示された（ＤＴＶパラメーター（例えばビデオ、音声、等）を設定するための）メニューを行き来する、及び双方向アプリケーションデータを提供する、等の機能を提供する。双方向アプリケーションデータに関し、ＤＴＶプロセッサー１１０は、ＤＴＶ受信機１０５を介しダウンロードされた双方向アプリケーションプログラムを格納するメモリー（示されない）を有する。ＤＴＶプロセッサー１１０による実行時に、双方向アプリケーションプログラムは双方向アプリケーションをユーザーに提供する。知られている双方向アプリケーションは、例えば天気、ニュース、交通情報及びゲーム（例えばテトリス）である。双方向アプリケーションは、特定のチャンネル（例えばゲームチャンネル）又は現在視聴されている番組と関連付けられて良い。例えば、スポーツ番組は、ユーザーにより選択された場合に例えば追加チーム情報を提供する画面上の色付けされたファンクションキーを表示して良い。留意すべき点は、ＤＴＶプロセッサー１１０が処理機能を表し、及び１つ以上のストアドプログラムプロセッサー（例えばマイクロプロセッサー）内に実施されて良いことである。
【０００８】
図２を参照すると、携帯型ＤＴＶの説明のための全面図が示される。留意すべき点は、当該図が説明のためのものであり、縮尺が異なり、及び単に本発明の原理を強調するために用いられることである。携帯型ＤＴＶは、筐体１９０内に含まれる。図２から分かるように、筐体１９０はディスプレイ１１５、ユーザーインターフェース１２０及びアンテナ１０１の支持を提供する。ユーザーインターフェース１２０は、少なくともナビゲーションボタン装置１２５、ボタン装置１３０及びモードボタン１３５を有する。本発明の概念に必須ではないが、ボタン装置１３０は、説明的にユーザーにチャンネルを変更し及び音量を調整する機能を提供する。これは図２に、現在のチャンネル選択をインクリメント及びデクリメントするために用いられるボタンを示すラベル「Ｃｈ＋」及び「Ｃｈ−」の説明的な使用により、及び現在の音量設定を増大及び減少するために用いられるボタンとして示されるラベル「Ｖ＋」及び「Ｖ−」の説明的な使用により示される。同様に他のボタン、例えば電源ボタンが存在して良いが、これらはまた本発明の概念に関係しない。本発明の原理に従って、ナビゲーションボタン装置１２５は、少なくとも２つの動作モードを有する。つまりナビゲーション動作モード及び双方向アプリケーション動作モード（本願明細書では有色動作モードとしても参照される）である。 
図３を参照する。図３は、少なくとも２つの動作モードを有するナビゲーションボタン装置を提供する本発明の原理に従う説明のためのフローチャートを図示する。ステップ３０５では、ＤＴＶプロセッサー１１０は携帯型ＤＴＶ１００のモードを設定する。例えば、ＤＴＶプロセッサー１１０は、モードを設定するための図２のモードボタン１３５を用いて良い。特に、モードボタン１３５は、少なくとも２つの状態を提供する。１つの状態はナビゲーション動作モードと関連付けられ、他の状態は双方向動作モードと関連付けられる。ＤＴＶプロセッサー１１０は、単に現在状態を検出されているボタン１３５のモードを切り替える。このように、ユーザーは、単にモードボタン１３５を押下することによりＤＴＶプロセッサー１１０にモードを切り替えさせることができる。ナビゲーションモードが設定されると、ＤＴＶプロセッサー１１０は段階３１０及び３１５を実行する。段階３１０では、ＤＴＶプロセッサー１１０はナビゲーションモードの色（以下に更に記載される）をオンに切り替える。段階３１５では、ＤＴＶプロセッサー１１０はナビゲーションボタン装置１２５からの如何なる信号もナビゲーション信号として処理する。一方で、双方向アプリケーションモードが設定されると、ＤＴＶプロセッサー１１０は段階３５０及び３５５を実行する。段階３５０では、ＤＴＶプロセッサー１１０は双方向アプリケーションモードの色（本願明細書では有色モードの色としても参照される）を点ける。段階３５５では、ＤＴＶプロセッサー１１０はナビゲーションボタン装置１２５からの如何なる信号も双方向アプリケーション信号として処理し、当該信号を特定の双方向アプリケーションプログラムへ渡す。従って携帯型ＤＴＶ１００は、ナビゲーションインターフェースと双方向アプリケーションインターフェースの両方を提供するために、上述の１０個のボタンの代わりに５個のボタンを利用する。 
ナビゲーションボタン装置１２５のナビゲーションモードは、図４に図示される。ナビゲーションボタン装置１２５の部分は、実際には５個のボタン、つまり上ボタン、右ボタン、下ボタン、左ボタン及び選択ボタンを有する。これらは、ナビゲーションボタン装置１２５の対応する部分１２５−１、１２５−２、１２５−３、１２５−４及び１２５−５により図４に図示される。ナビゲーションボタン装置１２５の当該部分はまた、本願明細書では上ボタン１２５−１、右ボタン１２５−２、下ボタン１２５−３、左ボタン１２５−４及び選択ボタン１２５−５として参照される。各ボタン部分は、光学部分１２６−１、１２６−２、１２６−３、１２６−４、及び１２６−５により表されるように少なくとも１つの部分的に光学的に透明な部分を有する。本願明細書の目的のため、外側の光透過性部分（１２６−１、１２６−２、１２６−３及び１２６−４）は説明的な方向記号の形状（∧、∨、＞、＜）であるが、本発明の概念はこれに限定されない。
【０００９】
図５を簡単に参照する。簡略化された形式の、ナビゲーションボタン装置１２５の部分（例えば１つのボタン、例えばボタン１２５−４）の説明のためのブロック図が示される。ナビゲーションボタン装置１２５は、回路基板２０１、柱要素２０２、光学要素２０５、及び蓋板２０４を有する。蓋板２０４は、少なくとも部分的に光学的に透明な部分２０３を有し、光学要素２０５（例えば図４の光透過性部分１２６−４に対応する）から光を放出する。回路基板２０１と柱要素２０２の両方の上には類似の導電性要素（図示されない）が装置される。蓋板２０５が矢印２０２の方向へ押下された時、柱要素２０２の導電性要素は、回路基板２０１の導電性要素と接触し、電気信号をＤＴＶプロセッサー１１０へ図１の信号経路１２１（図５に示されない）を介し生成する。更に、回路基板２０１は電気信号を光学要素２０５へ伝達し、光学要素２０５に光透過性部分２０３を通じて伝送するための光を生成させる。光学要素２０５は、図１の信号経路１２１（図５に示されない）を介しＤＴＶプロセッサー１１０により制御される。本発明の原理によると、光学要素２０５は複数色の発光ダイオード（ＬＥＤ）であり、及び少なくとも２種類の色で光を提供可能である。例えば、光学要素２０５は、従来知られている２色ＬＥＤ、３色ＬＥＤ等であって良い。本発明の目的のため、光学要素２０５により生成されることが可能な少なくとも１つの色は白であるとする。
【００１０】
再び図４を参照し及び以上に留意すると、図４はナビゲーション動作モードを表す。特に、ナビゲーションボタン装置１２５の各光学要素は制御され、白色を提供する（図３の段階３１０）。これは、光透過性部分１２６−１、１２６−２、１２６−３、１２６−４及び１２６−５のそれぞれに「塗りつぶし」パターンが無いことにより図４に図示される。このように、ナビゲーションボタン装置１２５の全てのボタンに関連付けられた白色光の存在は、ナビゲーションボタン装置がナビゲーションモードにあり、及び例えばチャンネルの変更、音量の調整などに用いられ得ることをユーザーに示す。
【００１１】
図６を参照すると、双方向アプリケーションモードが図示される。図４と図６を視覚的に比較すると、光透過性部分１２６−１、１２６−２、１２６−３、１２６−４及び１２６−５にパターンが存在することが分かる。当該パターンは、本願明細書では白以外の光の色を示すために用いられる。特に、ナビゲーションボタン装置１２５の各光学要素は制御され、異なる色を提供する（図３の段階３５０）。説明的に、上ボタン１２５−１に関連付けられた水平方向ダッシュ「−」は色赤を表す。下ボタン１２５−３に関連付けられた垂直方向ダッシュ「｜」は色青を表す。右ボタン１２５−２と関連付けられた順方向スラッシュ「／」は色黄を表す。左ボタン１２５−４と関連付けられた逆方向スラッシュ「＼」は色緑を表す。及び選択ボタン１２５−５と関連付けられた斜交平行模様は色紫を表す。（上述のように、色紫は双方向アプリケーションによる将来の使用のために予約されている。）このように、本発明の原理に従い、選択ボタン１２５−５に関連付けられた色はまた、白として保たれて良く、又は関連付けられた光学要素は如何なる光も放出されないようオフに切り替えられて良い。）
双方向アプリケーションモードの動作は、図７に更に図示される。図７に示されるように、ナビゲーションボタン装置１２５は、上述の「塗りつぶし」文字により示されるように、双方向モードである。また図７には、アプリケーションモード中にディスプレイ１１５に提示される画像の部分が示される。特に、ディスプレイ１１５の部分は、ユーザーが選択し得る機能を提示する。（ユーザーが選択し得る各機能と関連付けられた対応する文字ラベルは、図７に示されない。）各機能は、特定の「塗りつぶし」文字により表されるように特定の色により示される。例えば、ディスプレイ部分１１５−１に関連付けられた水平方向ダッシュ「−」は色赤を表す。ディスプレイ部分１１５−３に関連付けられた垂直方向ダッシュ「｜」は色青を表す。ディスプレイ部分１１５−２と関連付けられた順方向スラッシュ「／」は色黄を表す。及びディスプレイ部分１１５−４と関連付けられた逆方向スラッシュ「＼」は色緑を表す。本発明の原理によると、双方向アプリケーションモードでは、ディスプレイ１１５に示された色とナビゲーションボタン装置１２５の光学要素により放出される色とが対応する。従って、白以外の色がボタンに隣接して現れる場合、ユーザーは、携帯型ＤＴＶ１００が双方向アプリケーションモードであること、及び特定の色に関連付けられたボタンの使用が双方向アプリケーションの機能の選択をもたらすことを感知し得る。例えば、ディスプレイ部分１１５−１がまた「戻る」と題されたテキストラベル（示されない）を表示する場合、ユーザーは単に、赤でも示されるボタン１２５−１を押下し当該機能を選択する。上述のように、双方向アプリケーションが５個より少ない機能をユーザーによる選択のためディスプレイに提示する場合、結果としてナビゲーションボタン装置１２５は、本発明の原理に従い制御され、全ての色を示すか、又は代わりに利用可能な双方向アプリケーション機能に対応する色のみを示して良い。例えば、双方向アプリケーションが赤のファンクションキーのみを表示する場合、ナビゲーションボタン装置１２５は全ての色（赤、青、黄、緑及び紫）を示すよう制御されるか、又は代わりにナビゲーションボタン装置１２５はボタン１２５−１のみが色赤で点灯するよう制御されて良い。後者の場合、ファンクションキーの情報は双方向アプリケーションによりＤＴＶプロセッサー１１０へ供給されるとする。
【００１２】
図８は、双方向アプリケーションモードの携帯型ＤＴＶ１００の前面図の別の図を示す。同様に、図９及び１０に、それぞれナビゲーションモード及び双方向アプリケーションモードのユーザー動作が図示される。留意すべき点は、これらの図は有色画像の白黒表現であることである。 
図１１を参照すると、本発明の原理に従う説明のための別のフローチャートが示される。これは、携帯型ＤＴＶ１００をナビゲーションモード又は双方向アプリケーションモードの何れかに設定する代替の方法である。この例では、携帯型ＤＴＶ１００は「スティッキーモード」で動作する。このスティッキーモードでは、携帯型ＤＴＶ１００は常にナビゲーションモードであり、キー（ボタン）の１回押下だけで、例えばモードボタン１３５の使用を介し双方向モードに切り替わる。特に、段階３９５では、携帯型ＤＴＶ１００はモードボタン１３５の状態を（例えばポーリング技術を介し又は割り込みの使用を介し）検査する。モードボタン１３５が押下された場合、携帯型ＤＴＶ１００は、段階３５０で双方向モードに入り双方向モードの色を点ける。段階３５５で、携帯型ＤＴＶ１００は、双方向アプリケーションモードにおけるナビゲーションボタン装置１２５の次のキーストロークを処理する。次のキーストロークが受信されると、携帯型ＤＴＶ１００は、段階３６０でナビゲーションモードに戻りナビゲーションモードの色を点ける。留意すべき点は、図１１の方法が、例えばユーザーが双方向アプリケーションモード中の定められた時間期間内にボタンを押下しない場合に携帯型ＤＴＶ１００がナビゲーションモードへ戻る「タイムアウト」機能を有するよう更に変更され得ることである。 
上述のように、及び本発明の原理に従って、ナビゲーションキーボタン装置は、少なくとも２つの動作モードを有する。つまりナビゲーション動作モード及び双方向アプリケーション動作モードである。従って、４個（紫が使用されない場合）又は５個のボタンのみが必要とされ、従って携帯型デジタルＴＶ上のユーザーインターフェースのために要求される物理的空間の量を削減する。このように、ユーザーインターフェースのためにより少ない空間が要求されるので、携帯型ＤＴＶの物理的大きさは更に削減可能であり得る。
【００１３】
このように、以上は本発明の原理の単なる説明であり、当業者は、本発明の原理を実施し及び本発明の精神及び範囲に包含される、本願明細書に明示的に記載されない種々の構成を考案し得る。例えば、別個の要素として示されたが、当該要素の何れ又は全ては、例えばストアドプログラムにより制御されるプロセッサー、例えばデジタルシグナルプロセッサー（ＤＳＰ）又は例えば図１等に示された１つ以上の要素に対応するソフトウェアを実行するマイクロプロセッサーのような１つ以上の集積回路（ＩＣ）内に実施されて良い。更に、携帯型デジタルテレビジョンに関し記載されたが、本発明の概念はまた、デジタルテレビジョン等のリモコンにも適用可能である。同様に、モードボタンが以上に説明されたが、ナビゲーションボタン装置のモードを設定する他の方法及び機構が用いられて良い。従って、理解されるべき点は、多数の変更が説明のための実施例に成されて良いこと、及び他の装置が特許請求の範囲により定められた本発明の精神と範囲から逸脱することなく考案されて良いことである。
【図面の簡単な説明】
【００１４】
【図１】本発明の原理を実現する携帯型ＤＴＶの説明図である。
【図２】本発明の原理を実現する携帯型ＤＴＶの説明のための前面図である。
【図３】本発明の原理に従う説明のためのフローチャートである。
【図４】本発明の原理に従うナビゲーションモードにおけるナビゲーションボタン装置１２５の説明図である。
【図５】ナビゲーションボタン装置１２５の説明のための部分である。
【図６】本発明の原理に従う双方向アプリケーションモードにおけるナビゲーションボタン装置１２５の説明図である。
【図７】本発明の原理に従う双方向アプリケーションモードにおけるナビゲーションボタン装置１２５の説明図である。
【図８】本発明の原理に従う双方向アプリケーションモードにおけるナビゲーションボタン装置１２５の説明図である。
【図９】ナビゲーションモードと双方向アプリケーション（有色）モードにおける携帯型ＤＴＶの他の図である。
【図１０】ナビゲーションモードと双方向アプリケーション（有色）モードにおける携帯型ＤＴＶの他の図である。
【図１１】本発明の原理に従う説明のための別のフローチャートである。
【図１】
2008529347.tif 000003
【図２】
2008529347.tif 000004
【図３】
2008529347.tif 000005
【図４】
2008529347.tif 000006
【図５】
2008529347.tif 000007
【図６】
2008529347.tif 000008
【図７】
2008529347.tif 000009
【図８】
2008529347.tif 000010
【図９】
2008529347.tif 000011
【図１０】
2008529347.tif 000012
【図１１】
2008529347.tif 000013
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
デジタルテレビジョンであって：
ナビゲーションインターフェースをユーザーへ提供するよう構成され及び少なくとも２モード動作を有するナビゲーションボタン装置、及び
前記ナビゲーションボタン装置に光の色を表示する光学要素、を有し；
一方の動作モードでは、前記ナビゲーションボタン装置は前記デジタルテレビジョンに提示されたグラフィカルユーザーインターフェースを行き来するナビゲーションモードを提供し、及び他方の動作モードでは、前記ナビゲーションボタン装置は前記デジタルテレビジョンでユーザーに提示されたデジタルテレビジョンアプリケーションと相互作用する双方向アプリケーションモードを提供し、及び
前記ナビゲーションモードでは、前記光学要素の少なくとも１つは第１の色の光を放出し、及び前記双方向アプリケーションモードでは、前記光学要素の少なくとも１つは、前記デジタルテレビジョンに表示された特定の双方向アプリケーション機能に関連付けられた色に対応する異なる色の光を放出する、デジタルテレビジョン。 
【請求項２】
前記デジタルテレビジョンは、携帯型デジタルテレビジョンである、請求項１記載のデジタルテレビジョン。 
【請求項３】
前記ナビゲーションボタン装置は少なくとも４個のボタンを有し、プロセッサーは前記ナビゲーションボタン装置と前記光学要素とを制御する、請求項２記載のデジタルテレビジョン。 
【請求項４】
前記少なくとも４個のボタンは上ボタン、下ボタン、左ボタン、右ボタン、及び選択ボタンを有する、請求項３記載のデジタルテレビジョン。
【請求項５】
前記光学要素の少なくとも１つは前記ボタンのそれぞれに関連付けられる、請求項３又は４記載のデジタルテレビジョン。
【請求項６】
前記ナビゲーションボタン装置を収容するリモコン装置、を更に有する請求項１乃至５の１項記載のデジタルテレビジョン。
【請求項７】
前記第１の色は白であり、及び前記異なる色は赤、黄、青及び緑を有する、請求項１乃至６の１項記載のデジタルテレビジョン。 
【請求項８】
ユーザーに前記第１の動作モードと前記第２の動作モードとの間を切り替えさせることを可能にするモードボタン、を更に有する請求項１乃至７記載のデジタルテレビジョン。
【請求項９】
前記光学要素は、２色発光ダイオードである、請求項１乃至８記載のデジタルテレビジョン。 
【請求項１０】
方法であって、デジタルテレビジョンで用いられ、前記方法は：
（ａ）ナビゲーションボタン装置に第１のモードを設定する段階；
（ｂ）前記第１のモードでは前記ナビゲーションボタン装置は前記デジタルテレビジョンに提示されたグラフィカルユーザーインターフェースを行き来するために用いられ、第１の色を前記ナビゲーションボタン装置に表示させる段階；
（ｃ）前記ナビゲーションボタン装置を第２のモードに設定する段階；
（ｄ）前記第２のモードでは前記ナビゲーションボタン装置は前記デジタルテレビジョンに提示された双方向アプリケーションと相互作用するために用いられ、及び少なくとも４個の異なる色のそれぞれは異なる双方向機能に関連付けられ、前記４個の異なる色を前記ナビゲーションボタン装置に表示させる段階；を有する方法。 
【請求項１１】
前記デジタルテレビジョンは、少なくとも２つの状態を有するボタンを有し、１つの状態は前記第１のモードと関連付けられ及び２つ目の状態は前記第２のモードと関連付けられ、前記方法は、前記第１のモードと関連付けられた状態が検出された場合に段階（ａ）及び（ｂ）が実行され、前記第２のモードと関連付けられた状態が検出された場合に段階（ｃ）及び（ｄ）が実行されるよう、前記ボタンの状態を決定する段階を更に有する、請求項１０記載の方法。 
【請求項１２】
（ｅ）ユーザーによりボタンが選択されると段階（ａ）へ戻る段階、を更に有する請求項１０記載の方法。 
【請求項１３】
前記４個の異なる色は、赤、緑、青及び黄である、請求項１０記載の方法。 
【請求項１４】
前記第１の色は白である、請求項１０記載の方法。
【国際調査報告】
2008529347.tif 000014
2008529347.tif 000015
2008529347.tif 000016
2008529347.tif 000017
2008529347.tif 000018